(57)【要約】  本発明は、特にスライドエレメント、引き出しまたは引き戸のための引込装置に関しており、ハウジングが設けられており、ハウジングは、緩衝エレメントを収容しており、緩衝エレメントは、ピストンロッドを備えており、ピストンロッドは、緩衝シリンダ内で変位可能にガイドされたピストンを収容しており、ハウジングは、連結エレメントを収容しており、連結エレメントは、ハウジングのスライドガイド内で、引込位置と引出位置との間で変位可能であり、連結エレメントに、引張ばねが接続されており、引張ばねは、連結エレメントを、引出位置で引込位置に向かって予荷重を掛けている。そのような引込装置において、構造上の僅かな手間で、連結エレメントの安定したガイドを達成するために、ピストンロッドは、旋回軸受によって、直に連結エレメントに接続されている。
2010519434.tif 000002
【特許請求の範囲】
【請求項１】
特にスライドエレメント、引き出しまたは引き戸のための引込装置であって、
ハウジング（１２）が設けられており、該ハウジング（１２）は、緩衝エレメントを収容しており、該緩衝エレメントは、ピストンロッド（３１）を備えており、該ピストンロッド（３１）は、緩衝シリンダ（３０）内で変位可能にガイドされたピストンを収容しており、前記ハウジング（１２）は、連結エレメント（２０）を収容しており、該連結エレメント（２０）は、前記ハウジング（１２）のスライドガイド（１２．２）内で、引込位置と引出位置との間で変位可能であり、前記連結エレメント（２０）に、引張ばね（３５）が接続されており、該引張ばね（３５）は、前記連結エレメント（２０）を、引出位置で引込位置に向かって予荷重を掛けている、引込装置において、
前記ピストンロッド（３０）は、旋回軸受によって、直に前記連結エレメント（２０）に接続されていることを特徴とする、引込装置。
【請求項２】
前記旋回軸受の旋回軸線が、前記スライドガイド（１２．２）の領域で延びている、請求項１記載の引込装置。
【請求項３】
前記連結エレメント（２０）は、軸受ピン（２９）によって、前記スライドガイド（１２．２）内で変位可能にガイドされており、
前記軸受ピン（２９）は、前記連結エレメント（２０）の引込位置から前記スライドガイド（１２．２）のリニアガイド区分内で直線的に変位可能であり、
前記ピストンロッド（３２）は、前記リニアガイド区分と整合する、請求項１または２記載の引込装置。
【請求項４】
前記連結エレメント（２０）は、前記軸受ピン（２９）によって、前記スライドガイド（１２．２）内で変位可能にガイドされており、
前記連結エレメント（２０）の旋回軸線が、前記軸受ピン（２９）を通って延びている、請求項１から３までのいずれか１項記載の引込装置。
【請求項５】
前記軸受ピン（２９）は、前記連結エレメント（２０）を、前記ピストンロッドの軸受張出部（３３）と結合している、請求項４記載の引込装置。
【請求項６】
前記連結エレメント（２０）は、ばねホルダ（２７）を備えており、該ばねホルダ（２７）に、前記引張ばね（３５）は、前記旋回軸受の旋回軸線に対して間隔を有し、かつ編心的に直に連結されている、請求項１から５までのいずれか１項記載の引込装置。
【請求項７】
前記スライドガイド（１２．２）は、２つのガイドスリットを備えており、該ガイドスリットは、前記ハウジング（１２）の、相互に平行の２つのハウジング壁（１２．４）から切り欠かれており、
前記連結エレメント（２０）は、前記両ハウジング壁（１２．４）の間で、それぞれ軸受ピン（２９）によって、前記ガイドスリット内でガイドされている、請求項１から５までのいずれか１項記載の引込装置。
【請求項８】
前記連結エレメント（２０）は、少なくとも１つのガイドエレメント（２２）を備えており、該ガイドエレメント（２２）は、前記スライドガイド（１２．２）内でガイドされていて、下方旋回された引出位置で、前記スライドガイド（１２．２）の収容部（１２．３）に入り込むようになっている、請求項１から７までのいずれか１項記載の引込装置。
【請求項９】
前記連結エレメント（２０）は、第１および第２のストッパ（２５，２４）を備えており、該第１および第２のストッパ（２５，２４）は、相互間隔を有して配置されており、前記第２のストッパ（２４）は、ばねエレメント（２３）によって支持されており、該ばねエレメント（２３）は、前記連結エレメント（２０）の概ね旋回方向に延びる変位方向に変位可能である、請求項１から８までのいずれか１項記載の引込装置。
【請求項１０】
前記ばねエレメント（２３）は、前記連結エレメント（２０）と一体的に結合されている、請求項１から９までのいずれか１項記載の引込装置。
【請求項１１】
特にスライドエレメント、引き出しまたは引き戸のための引込装置であって、
ハウジング（１２）が設けられており、該ハウジング（１２）は、緩衝エレメントと連結エレメント（２０）とを収容しており、該連結エレメント（２０）は、前記ハウジング（１２）内で、引込位置と引出位置との間で変位可能であり、前記ハウジング（１２）は、相互に平行で間隔を有する２つの固定平面（Ｅ）を有しており、前記連結エレメント（２０）は、少なくとも１つのストッパ（２４，２５）を備えており、該ストッパ（２４，２５）は、引込位置で前記ハウジング（１２）から突出しており、両固定平面の間で等間隔に、前記ハウジング（１２）の中央横断面が配置されている、引込装置において、
前記ストッパ（２４，２５）は、前記中央横断面（Ｍ）と前記固定平面の１つとの間に配置されており、
前記ストッパ（２４，２５）は、前記中央平面（Ｍ）を越えて突出していないことを特徴とする、引込装置。
【請求項１２】
前記連結エレメント（２０）は、２つのストッパ（２４，２５）を備えており、該ストッパ（２４，２５）は、前記連結エレメント（２０）の変位方向に相前後して配置されており、
前記両ストッパ（２４，２５）は、前記中央平面（Ｍ）の片側に配置されているか、または、
各ストッパ（２４，２４）が、前記中央平面（Ｍ）の片側にそれぞれ配置されており、
両ストッパ（２４，２５）は、中央平面（Ｍ）を越えて突出していない、請求項１１記載の引込装置。
【請求項１３】
請求項１から１０までのいずれか１項の構成を有する、請求項１１または１２記載の引込装置。
【発明の詳細な説明】
【技術分野】
【０００１】
本発明は、特にスライドエレメント、引き出しまたは引き戸のための引込装置であって、ハウジングが設けられており、ハウジングは、緩衝エレメントを収容しており、緩衝エレメントは、ピストンロッドを備えており、ピストンロッドは、緩衝シリンダ内で変位可能にガイドされたピストンを収容しており、ハウジングは、連結エレメントを収容しており、連結エレメントは、ハウジングのスライドガイド内で、引込位置と引出位置との間で変位可能であり、連結エレメントに、引張ばねが接続されており、引張ばねは、連結エレメントを、引出位置で引込位置に向かって予荷重を掛けているものに関する。
【０００２】
欧州特許出願公開第１６５８７８５号明細書から、引込装置が公知である。ここではハウジング内に緩衝エレメントが取り付けられており、緩衝エレメントは、緩衝シリンダを備えており、緩衝シリンダ内でピストンは緩衝流体に関して変位可能である。ピストンにピストンロッドが連結されている。
【０００３】
ピストンロッドは、自由端部で、ガイドキャリッジに取り付けられている。ガイドキャリッジは、ハウジングのスライドガイド内で直線的に変位可能である。ガイドキャリッジは、軸受張出部を備えており、軸受張出部は、連結部材の軸受収容部に係合し、両部分の間に旋回軸受けが形成されている。これによって連結部材は、引出位置において、ガイドキャリッジに対して下方旋回位置に旋回可能である。
【０００４】
本発明の課題は、冒頭で述べた引込装置を改良して、部分および取付に係る僅かな手間で高い機能確実性を保証するようなものを提供することである。この課題は、ピストンロッドが、旋回軸受によって、直に前記連結エレメントに接続されていることによって解決される。連結ロッドに対する連結エレメントの直の取付に基づいて、ガイドキャリッジを省略することができる。これによって部分および取付に係る手間は大幅に削減される。さらに連結エレメントの力作用点は、比較的密にピストンロッドに置かれるので、これによって比較的高い機能確実性を有する安定した構造が得られる。
【０００５】
本発明の有利な形態によれば、旋回軸受の旋回軸線が、スライドガイドの領域で延びている。このようにして、ピストンロッドに作用して、連結エレメントの下方旋回に際して生じる恐れのある曲げ力は、完全に解消されるか、または少なくとも極めて僅かに維持される。
【０００６】
特に省スペースの構造は、引込装置に関して、連結エレメントが、軸受ピンによって、スライドガイド内で変位可能にガイドされており、軸受ピンが、連結エレメントの引込位置からスライドガイドのリニアガイド区分内で直線的に変位可能であり、ピストンロッドが、リニアガイド区分と整合することによって実現される。
【０００７】
このようにしてハウジングは、比較手僅かな構造高さもしくは構造幅を有する、縦長の構造形式で実現される。縦長の構造形式は、特に引き出しガイドにおける狭いスペース状況において容易に組付可能である。
【０００８】
連結エレメントが、軸受ピンによってスライドガイド内で変位可能にガイドされており、連結エレメントの旋回軸線が、軸受ピンを通って延びている場合、簡単で省スペースに、スライドガイド内の連結エレメントのガイドを実現することができる。
【０００９】
この場合軸受ピンが、連結エレメントを、ピストンロッドの軸受張出部と結合している場合、部分コストの更なる削減を実現することができる。軸受ピンは、個別の構成部材として、または直に連結エレメントもしくはピストンロッドに一体成形することができる。
【００１０】
本発明による別の形態によれば、連結エレメントが、ばねホルダを備えており、ばねホルダに、引張ばねは、旋回軸受の旋回軸線に対して間隔を有し、かつ編心的に直に連結されている。ばねの作用点が連結エレメントに割り当てられていることによって、傾倒モーメントを形成することができる。傾倒モーメントによって保証されるが、連結エレメントが引出位置において確実に下方旋回された位置に引っ張られる。
【００１１】
スライドガイドが、２つのガイドスリットを備えており、ガイドスリットが、ハウジングの、相互に平行の２つのハウジング壁から切り欠かれており、連結エレメントが、両ハウジング壁の間で、それぞれ軸受ピンによって、ガイドスリット内でガイドされていることによって、連結エレメントの、傾倒に対して安定した確実なガイドは、僅かな手間で達成される。
【００１２】
本発明の１形態によれば、連結エレメントが、少なくとも１つのガイドエレメントを備えており、ガイドエレメントが、スライドガイド内でガイドされていて、下方旋回された引出位置で、スライドガイドの収容部に旋回して入り込むようになっている。
【００１３】
連結エレメントが、第１および第２のストッパを備えており、第１および第２のストッパが、相互間隔を有して配置されており、第２のストッパが、ばねエレメントに支持されており、ばねエレメントが、連結エレメントの概ね旋回方向に延びる変位方向に変位可能である場合、引込装置は、ガイドしようとするスライドエレメントの両側で選択的に使用することができる。ばねエレメントは、常にハウジング内室に向かって逃げる。
【００１４】
部分に係る手間の更なる削減は、ばねエレメントが連結エレメントと一体的に結合されている場合に実現される。
【００１５】
さらに本発明は、特にスライドエレメント、引き出しまたは引き戸のための引込装置であって、ハウジングが設けられており、ハウジングは、緩衝エレメントを収容しており、緩衝エレメントは、ピストンロッドを備えており、ピストンロッドは、緩衝シリンダ内で変位可能にガイドされたピストンを収容しており、ハウジングは、連結エレメントを収容しており、連結エレメントは、ハウジングのスライドガイド内で、引込位置と引出位置との間で変位可能であり、連結エレメントに、引張ばねが接続されており、引張ばねは、連結エレメントを、引出位置で引込位置に向かって予荷重を掛けているものに関する。
【００１６】
本発明の課題は、前述の引込装置を改良して、２つの引込装置が、家具、戸、戸枠などの連行体の、それぞれ反対側に省スペースに配置され、同時に連行体によって作動可能であるようなものを提供することである。
【００１７】
この課題は、ストッパが、中央横断面と固定平面の１つとの間に配置されており、ストッパが、中央平面を越えて突出していないことによって解決される。
【００１８】
ここでは引込装置は、連行体の両側で位置決めすることができ、この場合連結エレメントのストッパは重畳している。このようにして特に同じ２つの引込装置を用いることができ、これによって取扱に関する明確な利点が提供される。
【００１９】
特に本発明の１形態によれば、連結エレメントが、２つのストッパを備えており、ストッパは、連結エレメントの変位方向に相前後して配置されており、両ストッパは、中央平面の片側に配置されているか、または、各ストッパが、中央平面の片側にそれぞれ配置されており、両ストッパは、中央平面を越えて突出していない。
【００２０】
次に、図示した実施の形態に基づいて、本発明を詳しく説明する。
【図面の簡単な説明】
【００２１】
【図１】引出位置に連結エレメントがある状態で引込装置を示す側面図である。
【図２】図１に対応する、引込位置に連結エレメントがある状態で引込装置を示す側面図である。
【図３】図２に示した引込緩衝装置の部分斜視図である。
【図４】緩衝エレメントおよび引張ばねの接続された連結エレメントを示す斜視図である。
【図５】図４に対応する、変化した機能位置で連結エレメントを示す斜視図である。
【図６】図２のＶＩ−ＶＩ線に沿って引込装置を示す水平部分断面図である。
【図７】相互に列を成す２つの引込装置を示す斜視図である。
【図８】相対して配置された２つの引込装置を示す図である。
【００２２】
図１および図２には、ハウジング１２を備えた引込装置１０を示しており、ハウジング１２は、長手方向側の端部で、固定張出部１１を備えている。固定張出部１１は、ねじ収容部を備えている。図３から明確に看取されるように、ハウジング１２は、相互に平行の２つのハウジング壁１２．３を備えており、ハウジング壁１２．４は、固定張出部１１の間を延在している。固定壁１２．４から、ガイドスリットとして形成されたスライドガイド１２．２が切り欠かれている。両スライドガイド１２．２は、重畳して形成されている。スライドガイド１２．２は、リニアガイド区分を備えており、リニアガイド区分は、広幅の収容部１２．３に移行する。ハウジング１２には、連結エレメント２０が変位可能に取り付けられている。射出成形部分として形成された連結エレメント２０の構成は、図４および図５から詳しく判る。図４および図５に示したように、連結エレメント２０は、ベース部分２１．１を備えており、ベース部分２１．１に、張出アームとしてのホルダ２１が一体成形されている。
【００２３】
ホルダ２１は、板状に形成されたばねエレメント２３を備えている。ばねエレメント２３は、自由端部で、ストッパ面２４．１を有する第２のストッパ２４を備えている。第２のストッパ２４は、ホルダ２１に向けられた係止張出部２４．２で終了している。図６から明確に看取されるように、第２のストッパ２４は、ホルダ２１の、引っ込められたガイド面２６に接触する。同時に第２のストッパ２４およびホルダ２１に、アンダカットされた面が設けられており、アンダカットされた面は、相互に接触し、ガイド２４．３を形成する。ガイド２４．３は、ガイド面に対して垂直の第２のストッパ２４の逃げを防止する。図４には、ばねエレメント２３は、内側へ変位した状態で示し、図５には、外側へ変位し状態で示した。
【００２４】
外側へ変位した状態では、係止張出部２４．２は、完全な拡開を制限する。係止張出部２４．２が、ホルダ２１との係合を解除されると、ばねエレメント２３は、完全に拡開するので、係止張出部２４．２は解放されてホルダ２１を越えて伸びた姿勢を占める。伸びた姿勢は、連結エレメントが射出成形型から取り出される出発位置であり、したがってアンダカットなしに製作可能である。
【００２５】
さらにベース部分２１．１は、第１のストッパ２５を備えており、第１のストッパ２５は、第２のストッパ２４と同方向に突出している。図５に示したように、両ストッパ２４，２５は、相互間隔を有しているので、ストッパ２４，２５は、その間に収容スペースを画成する。
【００２６】
連結エレメント２０に、緩衝エレメントが直に旋回可能に連結される。緩衝エレメントは、緩衝シリンダ３０を備えており、緩衝シリンダ３０内で、ピストンは、緩衝流体（ガス状または液状）の圧力に関して摺動することができる。ピストンは、ピストンロッド３２を備えており、ピストンロッド３２は、緩衝シリンダ３０から外側へガイドされている。
【００２７】
ピストンロッド３２は、自由端部に、軸受張出部３３を備えている。軸受張出部３３は、連結エレメント２０の軸受収容部２８に旋回可能に保持されている。図６には、ピストンロッド３２と連結エレメント２０との間の結合を例示した。したがって軸受張出部３３と軸受収容部２８とは、相互に整合する孔を備えており、孔を通って、個別の構成部分として形成された、シリンダピンとして構成された軸受ピン２９がガイドされている。軸受ピン２９は、軸受張出部３３または軸受収容部２８に摩擦結合（kraftschluessig；摩擦による束縛）で保持されている。したがって旋回軸受が形成され、旋回軸受の旋回軸線は、軸受ピン２９の中心軸線を通って延びている。本発明による、図示していない別の形態では、ピストンロッド３２および連結エレメント２０は、旋回軸受を形成するために相互に入り込むようにして係合する成形構成部材を備えている。
【００２８】
たとえば軸受ピン２９は、連結エレメント２０（またはピストンロッド３２）に一体成形することができ、ピストンロッド３２（または連結エレメント２０）は、孔で、軸受ピン２９に被せ嵌めることができる。したがって個別部材としての軸受ピン２９は省略することができる。
【００２９】
さらに図６から看取されるように、軸受ピン２９は、両側で、連結エレメント２０から突出しており、この場合突出する区分は、スライドガイド１２．２に係合する。したがって連結エレメント２０は、両ハウジング壁１２．４の間で、かつスライドガイド１２．２内で安定してガイドされるようになっている。
【００３０】
さらに図５から看取されるように、旋回軸受の下方にばねホルダ２７が配置されている。ばねホルダ２７は、引張ばね３５の端部を固定しており、引張ばね３５は、別の端部で、ハウジング１２に固定されている。引張ばね３５の連結点の間隔を置いた配置構造によって、旋回軸受の旋回軸線を中心に時計回り方向（図５）で作用する回転モーメントを形成することができる。
【００３１】
図１〜図３に示したように、図４および図５に示した配置構造は、ハウジング１２に取り付けられている。
【００３２】
この場合緩衝シリンダ３０は、ハウジング１２の溝状の収容部に挿入されている。軸方向で、緩衝シリンダ３０は、ハウジング壁１２．５から突出する張出部１２．５によって取り付けられ、張出部１２．５は、緩衝シリンダ３０に取り付けられた周溝３１に係合する。
【００３３】
ハウジング壁１２．４に、貫通孔１２．１が形成されており、貫通孔１２．１は、緩衝シリンダ３０を離脱しないよう確保する。
【００３４】
図１において、連結エレメント２０は、出発位置で示した。ここでは連結エレメント２０は、旋回軸受において、ピストンロッド３２に対して下方旋回されており、両側で、連結エレメント２０のホルダ２１の側方に一体成形されたガイドエレメント２２が、スライドガイド１２．２の両収容部１２．３内で保持されている。引張ばね３５は、この位置では、緊張位置にあり、予荷重を連結エレメント２０に及ぼし、連結エレメント２０は、下方旋回された位置で保持されている。図１に示したように、連結エレメント２０は、図示の位置において既に連行体４０と係合することができる。この場合連行体４０は、定置であり、たとえば家具本体（引き戸−戸枠）に取り付けることができ、引込装置は、動かそうとするスライド部分（引き出し、引き戸など）に取り付けることができる（またはその逆である）。
【００３５】
連行体４０が閉鎖位置へのスライド部分の運動方向に第１のストッパ２５に当接すると（図１におけるＦ参照）、ガイドエレメント２２は、収容部１２．３から外へ移動する。この場合連結エレメント２０は、旋回軸受の旋回軸線を中心に旋回する。連行体４０は、第２のストッパ２４によって連行される。
【００３６】
第１のストッパ２５に対する連行体４０の衝突は、緩衝エレメント（緩衝シリンダ３０）によって緩衝される。したがってスライド部分は、引張ばね３５の力によって、閉鎖位置に引っ張られる。閉鎖部分の開放に際して、連結エレメント２０は、第２のストッパ２４に接触する連行体２５によって引っ張られ、図１に示した位置にもたらされる。この場合引張ばね３５は、再び緊張され、連結ロッド３２は、引き出される。したがってスライド部分は、引込装置と非係合であり、引き続き開放位置へ移動することができる。したがって、たとえば機能エラーに起因して、連結エレメント２０は、図２に示した位置に存在するが、連行体４０は、ストッパ２４，２５の間に形成された領域の外側で、第２のストッパ２４の手前に存在する、ようにすることができる。
【００３７】
連行体４０が第２のストッパ２４に向かって移動すると、連行体４０は、運動方向で斜めに置かれたばねエレメント２３に乗り上げる。連行体４０は、ばねエレメント２３を、運動方向Ｆに対して垂直にハウジング１２内に変位する。連行体４０が第２のストッパ２４を通過すると、ばねエレメント２３は、再び上方旋回し、連行体４０は、位置正確にストッパ２４，２５の間に位置する（図２参照）。
【００３８】
図７には、比較的重いスライド部分（たとえば比較的大きな引き戸）の場合に使用される配置構造を示した。この場合図１〜図６に示した２つの引込装置が相並んで置かれている。したがって引込装置は、平行に配置され両連結エレメント２０に同時に当接する連行体４０を、緩衝エレメントにより制動する。
【００３９】
平行に配置された別の配置構造を、図８に示した。図８に示したように、引込装置は、対向して配置されており、この場合ハウジング壁１２．４は、対偶を成してそれぞれ１平面上に位置する。
【００４０】
ここでは、ストッパ２４，２５は重畳する。図６に示したように、引込装置は、互いに平行の２つの固定平面Ｅを有しており、固定平面Ｅで、引込装置は、固定面に接触して、固定面に取り付けることができる。固定平面Ｅの中央で、固定平面Ｅに対して平行に、引込装置の中央横断面Ｍが位置する。図６から看取されるように、ストッパ２４，２５は、中央横断面Ｍから突出しないので、図８に示した、ストッパ２４，２５の重畳位置が得られる。
【図１】
2010519434.tif 000003
【図２】
2010519434.tif 000004
【図３】
2010519434.tif 000005
【図４】
2010519434.tif 000006
【図５】
2010519434.tif 000007
【図６】
2010519434.tif 000008
【図７】
2010519434.tif 000009
【図８】
2010519434.tif 000010
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
特にスライドエレメント、引き出しまたは引き戸のための引込装置において、
ハウジング（１２）が設けられており、該ハウジング（１２）は、緩衝エレメントを収容しており、該緩衝エレメントは、ピストンロッド（３１）を備えており、該ピストンロッド（３１）は、緩衝シリンダ（３０）内で変位可能にガイドされたピストンを収容しており、前記ハウジング（１２）は、連結エレメント（２０）を収容しており、該連結エレメント（２０）は、前記ハウジング（１２）のスライドガイド（１２．２）内で、引込位置と引出位置との間で変位可能であり、前記連結エレメント（２０）に、引張ばね（３５）が接続されており、該引張ばね（３５）は、前記連結エレメント（２０）を、引出位置で引込位置に向かって予荷重を掛けており、
前記ピストンロッド（３０）は、旋回軸受によって、直に前記連結エレメント（２０）に接続されており、
前記旋回軸受の旋回軸線が、前記スライドガイド（１２．２）の領域で延びていることを特徴とする、引込装置。
【請求項２】
前記連結エレメント（２０）は、軸受ピン（２９）によって、前記スライドガイド（１２．２）内で変位可能にガイドされており、
前記軸受ピン（２９）は、前記連結エレメント（２０）の引込位置から前記スライドガイド（１２．２）のリニアガイド区分内で直線的に変位可能であり、
前記ピストンロッド（３２）は、前記リニアガイド区分と整合する、請求項１記載の引込装置。
【請求項３】
前記連結エレメント（２０）は、前記軸受ピン（２９）によって、前記スライドガイド（１２．２）内で変位可能にガイドされており、
前記連結エレメント（２０）の旋回軸線が、前記軸受ピン（２９）を通って延びている、請求項１または２記載の引込装置。
【請求項４】
前記軸受ピン（２９）は、前記連結エレメント（２０）を、前記ピストンロッドの軸受張出部（３３）と結合している、請求項３記載の引込装置。
【請求項５】
前記連結エレメント（２０）は、ばねホルダ（２７）を備えており、該ばねホルダ（２７）に、前記引張ばね（３５）は、前記旋回軸受の旋回軸線に対して間隔を有し、かつ編心的に直に連結されている、請求項１から４までのいずれか１項記載の引込装置。
【請求項６】
前記スライドガイド（１２．２）は、２つのガイドスリットを備えており、該ガイドスリットは、前記ハウジング（１２）の、相互に平行の２つのハウジング壁（１２．４）から切り欠かれており、
前記連結エレメント（２０）は、前記両ハウジング壁（１２．４）の間で、それぞれ軸受ピン（２９）によって、前記ガイドスリット内でガイドされている、請求項１から５までのいずれか１項記載の引込装置。
【請求項７】
前記連結エレメント（２０）は、少なくとも１つのガイドエレメント（２２）を備えており、該ガイドエレメント（２２）は、前記スライドガイド（１２．２）内でガイドされていて、下方旋回された引出位置で、前記スライドガイド（１２．２）の収容部（１２．３）に入り込むようになっている、請求項１から６までのいずれか１項記載の引込装置。
【請求項８】
前記連結エレメント（２０）は、第１および第２のストッパ（２５，２４）を備えており、該第１および第２のストッパ（２５，２４）は、相互間隔を有して配置されており、前記第２のストッパ（２４）は、ばねエレメント（２３）によって支持されており、該ばねエレメント（２３）は、前記連結エレメント（２０）の概ね旋回方向に延びる変位方向に変位可能である、請求項１から７までのいずれか１項記載の引込装置。
【請求項９】
前記ばねエレメント（２３）は、前記連結エレメント（２０）と一体的に結合されている、請求項１から８までのいずれか１項記載の引込装置。
【請求項１０】
特にスライドエレメント、引き出しまたは引き戸のための引込装置であって、
ハウジング（１２）が設けられており、該ハウジング（１２）は、緩衝エレメントと連結エレメント（２０）とを収容しており、該連結エレメント（２０）は、前記ハウジング（１２）内で、引込位置と引出位置との間で変位可能であり、前記ハウジング（１２）は、相互に平行で間隔を有する２つの固定平面（Ｅ）を有しており、前記連結エレメント（２０）は、少なくとも１つのストッパ（２４，２５）を備えており、該ストッパ（２４，２５）は、引込位置で前記ハウジング（１２）から突出しており、両固定平面の間で等間隔に、前記ハウジング（１２）の中央横断面が配置されている、引込装置において、
前記ストッパ（２４，２５）は、前記中央横断面（Ｍ）と前記固定平面の１つとの間に配置されており、
前記ストッパ（２４，２５）は、前記中央平面（Ｍ）を越えて突出していないことを特徴とする、引込装置。
【請求項１１】
前記連結エレメント（２０）は、２つのストッパ（２４，２５）を備えており、該ストッパ（２４，２５）は、前記連結エレメント（２０）の変位方向に相前後して配置されており、
前記両ストッパ（２４，２５）は、前記中央平面（Ｍ）の片側に配置されているか、または、
各ストッパ（２４，２４）が、前記中央平面（Ｍ）の片側にそれぞれ配置されており、
両ストッパ（２４，２５）は、中央平面（Ｍ）を越えて突出していない、請求項１０記載の引込装置。
【請求項１２】
請求項１から９までのいずれか１項の構成を有する、請求項１０または１１記載の引込装置。
【国際調査報告】
2010519434.tif 000011
2010519434.tif 000012
2010519434.tif 000013
2010519434.tif 000014
2010519434.tif 000015
2010519434.tif 000016
2010519434.tif 000017
2010519434.tif 000018